(57)【要約】      （修正有）【課題】信号光用光路と参照光用光路とで光学部品を共有する割合がより多くなる光学系構成を提供する。【解決手段】光学部品を共有する割合を多くするため、信号光２０６と参照光２１２を略平行光としてＰＢＳプリズム２０７に入射させ、ＰＢＳプリズムを出射した略平行光の参照光に対して凹レンズ２３１を用いて対物レンズ２１０に入射させる。【選択図】図３
2008226433.tif 000002
【特許請求の範囲】
【請求項１】
信号光と参照光を用いホログラフィを利用して、光情報記録媒体に情報を記録および／または光情報記録媒体から再生する光ピックアップにおいて、
レーザ光源と、
前記レーザ光源から出射した光ビームを参照光と信号光とに分離する分離手段と、
前記参照光と前記信号光が通過するＰＢＳプリズムと、
前記ＰＢＳプリズムを通過する信号光に情報を付加する空間光変調器と、
前記参照光と前記信号光の両方の光を取り込んで光情報記録媒体に該参照光と該信号光とを照射する対物レンズと、
を有し、
前記信号光と前記参照光は、前記ＰＢＳプリズムに対して略平行光として入射し、
前記ＰＢＳプリズムを出射した参照光が前記対物レンズに入射する手前の光路中には、凹レンズが配置されている、
光ピックアップ。
【請求項２】
請求項１記載の光ピックアップにおいて、前記対物レンズ出射後の参照光は、平行光として光情報記録媒体に入射する、
光ピックアップ。
【請求項３】
請求項１記載の光ピックアップにおいて、前記凹レンズによって発散光として前記対物レンズに入射する前記参照光の仮想発光点位置は、前記対物レンズのバックフォーカス面上に位置する、
光ピックアップ。
【請求項４】
請求項２記載の光ピックアップにおいて、前記レーザ光源から出射する光ビームを参照光と信号光に分離するときは、該光ビームを参照光用光ビームとして利用する領域と信号光用光ビームとして利用する領域に領域分割している、
光ピックアップ。
【請求項５】
請求項２記載の光ピックアップにおいて、前記レーザ光源から出射する光ビームを参照光と信号光に分離するときは、偏光の違いを利用して参照光用光ビームと信号光用光ビームとに分離する、
光ピックアップ。
【請求項６】
信号光と参照光を用いホログラフィを利用して、光情報記録媒体に情報を記録および／または光情報記録媒体から再生する装置において、
レーザ光源と、
前記レーザ光源から出射した光ビームを参照光と信号光とに分離する分離手段と、
前記参照光と前記信号光が通過するＰＢＳプリズムと、
前記ＰＢＳプリズムを通過する信号光に情報を付加する空間光変調器と、
前記参照光と前記信号光の両方の光を取り込んで光情報記録媒体に該参照光と該信号光とを照射する対物レンズと、
を有し、
前記信号光と前記参照光は、前記ＰＢＳプリズムに対して略平行光として入射し、
前記ＰＢＳプリズムを出射した参照光が前記対物レンズに入射する手前の光路中には、凹レンズが配置されており、
前記光情報記録媒体に情報を記録および／または前記光情報記録媒体から再生する際は、前記対物レンズ出射後の参照光を略平行光として光情報記録媒体に入射する装置。
【発明の詳細な説明】
【技術分野】
【０００１】
本発明は、ホログラフィ技術を用いて情報を記録再生する光ピックアップおよび、それを用いた光情報再生装置および光情報記録再生装置に関するものである。
【背景技術】
【０００２】
現在、青紫色半導体レーザを用いた、Ｂｌｕ−ｒａｙ  Ｄｉｓｃ（ＢＤ）規格やＨｉｇｈ Ｄｅｆｉｎｉｔｉｏｎ  Ｄｉｇｉｔａｌ  Ｖｅｒｓａｔｉｌｅ Ｄｉｓｃ（ＨＤ  ＤＶＤ）規格などにより、民生用においても５０ＧＢ程度の記録密度を持つ光ディスクの商品化が可能となってきた。今後は、光ディスクでも１００ＧＢ〜１ＴＢというＨＤＤ（Ｈａｒｄ  Ｄｉｓｃ  Ｄｒｉｖｅ）容量と同程度の大容量化が望まれる。
しかしながら、このような超高密度を光ディスクで実現するためには、従来行われてきた短波長化と対物レンズ高ＮＡ化による高密度化技術とは異なる新しい方式による高密度化技術が必要である。
【０００３】
次世代のストレージ技術に関する研究が行われる中、ホログラフィを利用してデジタル情報を記録するホログラム記録技術が注目を集めている。ホログラム記録技術とは、空間光変調器により２次元的に変調されたページデータの情報を有する信号光と参照光とを記録媒体の内部で重ね合わせ、その時に生じる干渉縞パターンによって記録媒体内に屈折率変調を生じさせることで情報を記録媒体に記録する技術である。
【０００４】
情報の再生時には、記録時に用いた参照光を記録媒体に照射すると、記録媒体中に記録されているホログラムが回折格子のように作用して回折光を生じる。この回折光が記録した信号光と位相情報を含めて同一の光として再生される。
再生された信号光は、ＣＭＯＳやＣＣＤなどの光検出器を用いて２次元的に高速に検出される。このようにホログラム記録技術は、１つのホログラムによって２次元的な情報を一気に光記録媒体に記録し、さらにこの情報を再生することを可能とするものであり、そして、記録媒体のある場所に複数のページデータを重ね書きすることができるため、大容量かつ高速な情報の記録再生を果たすことができる。
【０００５】
ホログラム記録技術として、例えば特許文献１に記載されたものがある。本公報には、信号光束をレンズで光情報記録媒体に集光すると同時に、平行光束の参照光を照射して干渉させてホログラムの記録を行い、さらに参照光の光情報記録媒体への入射角度を変えながら、異なるページデータを空間光変調器に表示して多重記録を行う、いわゆる角度多重記録方式が記載されている。本公報には、レンズで集光した信号光のビームウエストに開口（空間フィルタ）を配することにより、隣接するホログラムの間隔を短くすることができ、従来の角度多重記録方式に比べて記録密度／容量を増大させる技術が記載されている。
また光情報記録媒体に記録された情報を再生する際は、参照光の位相共役光を用いることで、信号検出用の光検出器を光情報記録媒体に対して他の光学部品と同じ側に配置し、装置を小型化できることが非特許文献１に記載されている。
【０００６】
【特許文献１】特開２００４−２７２２６８号公報
【非特許文献１】Ｉａｎ  Ｒｅｄｍｏｎｄ：Ｔｅｃｈｎｉｃａｌ  Ｄｉｇｅｓｔ  ＯＤＳ（２００６）、ＭＡ１
【発明の開示】
【発明が解決しようとする課題】
【０００７】
ところでホログラム記録では記録品質の向上の観点から、干渉縞を安定に形成することが重要であり、そのためには信号光と参照光の光路長差が変化しないように光路長差を一定に保つことが重要である。ここで信号光用光路と参照光用光路とで光学部品を共有する割合が多ければ、伝播中における大気の揺らぎや光学部品の位置ずれ等によって生じる光路長のずれは、信号光と参照光両者に同程度生じることから、互いに打ち消す事ができる。しかしながら従来の光学系構成は、非特許文献１に示すように、レーザ光源を出射した光ビームは光情報記録媒体に向う光路の途中で信号光用光ビームと参照光用光ビームに分離され、その後、これらの光ビームは別々の光路を比較的長い距離伝播する構成となっている。そのため装置の大型化、ならびに信号光と参照光の光路長差を変動させる要因となっていた。
本発明は、装置の小型化ならびに記録品質の向上を目的とし、従来と同様、情報記録媒体に参照光を平行光として照射し、角度多重記録方式を実現する構成としつつ、従来よりも信号光用光路と参照光用光路とで光学部品を共有する割合がより多くなる光学系構成を提供する。
【課題を解決するための手段】
【０００８】
本発明の目的は、その一例として、信号光と参照光をＰＢＳプリズムに対して略平行光として入射し、前記ＰＢＳプリズムを出射した参照光が対物レンズに入射する手前の光路中に凹レンズを配置することで達成できる。
【発明の効果】
【０００９】
信号光用光路と参照光用光路とで光学部品を共有する割合が従来よりも多くなるため、小型化に有利であり、かつ伝播中における大気の揺らぎや光学部品の位置ずれ等によって生じる信号光と参照光の光路長差のずれが緩和され、記録品質を向上出来る。
【発明を実施するための最良の形態】
【００１０】
次に、本発明の実施形態を図面にしたがって説明する。
例えば図７に示すように、信号光と参照光を同一の対物レンズに入射させる構成とすることで、信号光用光路と参照光用光路とで光学部品を共有する割合を非特許文献１に示すような従来の構成より多くできる。本構成は小型化に有利であり、かつ伝播中における大気の揺らぎや光学部品の位置ずれ等によって生じる信号光と参照光の光路長差の変動を緩和できる。
【００１１】
本実施例では図７に示すように、光源２０１を出射した光ビームはコリメートレンズ２０２を透過し、シャッタ２０３に入射する。シャッタ２０３が開いている時は、光ビームはシャッタ２０３を通過した後、例えば２分の１波長板または液晶素子などで構成される偏光方向変換素子２０４によってＰ偏光とＳ偏光の光量比が所望の比になるように偏光方向を制御された後、ＰＢＳプリズム２０５に入射する。
ＰＢＳプリズム２０５を透過した光ビームは、ＰＢＳプリズム２０７を経由して空間光変調器２０８に入射する。
【００１２】
空間光変調器２０８によって情報を付加された信号光ビーム２０６はＰＢＳプリズム２０７を反射し、所定の入射角度の光ビームのみを通過させるアングルフィルタ２０９を伝播する。その後、信号光ビームは対物レンズ２１０によって光情報記録媒体１に集光する。
一方、ＰＢＳプリズム２０５を反射した光ビームは参照光ビーム２１２として働き、偏光方向変換素子２１９によって記録時または再生時に応じて所定の偏光方向に設定された後、ミラー２１３ならびにミラー２１４を経由してレンズ２１５に入射する。
【００１３】
レンズ２１５は参照光ビーム２１２を対物レンズ２１０のバックフォーカス面に集光させる役割を果たしており、対物レンズ２１０のバックフォーカス面にて一度集光した参照光ビームは、対物レンズ２１０によって再度、平行光となって光情報記録媒体１に入射する。
ここで対物レンズ２１０または光学ブロック２２１は、例えば符号２２０に示す方向に駆動可能であり、対物レンズ２１０または光学ブロック２２１の位置を駆動方向２２０に沿ってずらすことにより、対物レンズ２１０と対物レンズ２１０のバックフォーカス面における集光点の相対位置関係が変化するため、光情報記録媒体１に入射する参照光ビームの入射角度を所望の角度に設定することができる。  
【００１４】
このように信号光ビームと参照光ビームを光情報記録媒体１において、互いに重ね合うように入射させることで、記録媒体内には干渉縞パターンが形成され、このパターンを記録媒体に書き込むことで情報を記録する。また対物レンズ２１０または光学ブロック２２１の位置を駆動方向２２０に沿ってずらす事によって、光情報記録媒体１に入射する参照光ビームの入射角度を変化させることができるため、角度多重による記録が可能である。
【００１５】
このように信号光と参照光を同一の対物レンズに入射させ、対物レンズを横方向に走査することで角度多重記録を実現する構成を、以下の実施例では、モノキュラーシステムと呼ぶ事とする。
記録した情報を再生する場合は、前述したように参照光ビームを光情報記録媒体１に入射し、光情報記録媒体１を透過した光ビームをガルバノミラー２１６にて反射させることで、その位相共役光を生成する。
この位相共役光によって再生された再生光ビームは、対物レンズ２１０、アングルフィルタ２０９を伝播する。その後、再生光ビームはＰＢＳプリズム２０７を透過して光検出器２１８に入射し、記録した信号を再生することができる。
【００１６】
以上のように、モノキュラーシステムは図１に示すように、参照光が平行光として光情報記録媒体１に照射する様に、対物レンズ２１０のバックフォーカス面に参照光を一度集光させる構成としている。このように参照光の集光点２３５を対物レンズ２１０のバックフォーカス面に配置するため、参照光用のレンズ２１５を別途配置し、参照光用の光ビームをレンズ２１５に導く構成としていた。このため、レーザ光源から光情報記録媒体１へと続く光路の途中にて、ＰＢＳプリズム等を用いて参照光用の光ビームを信号光用光路とは異なる別の光路に迂回させて、参照光を対物レンズのバックフォーカス面に集光するレンズ２１５に導く必要がある。そこで参照光用の光ビームが迂回する量を改善し、信号光用光路と参照光用光路とで光学部品を共有する割合をさらに多くした構成を図２に示す。図２の構成とすることで小型化にさらに有利となり、かつ伝播中における大気の揺らぎや光学部品の位置ずれ等によって生じる信号光と参照光の光路長差の変動をさらに緩和できる。
【００１７】
本実施例では図２に示すように、信号光用光ビームならびに参照光用光ビーム共に、平行光としてＰＢＳプリズム２０７に入射する。参照光用光ビームはＰＢＳプリズム２０７にて反射し、４分の１波長板２３２によって円偏光になった後に反射板２３３にて反射する。反射板２３３にて反射した光は４分の１波長板２３２によってＰ偏光となった後にＰＢＳプリズム２０７を透過してレンズ２３１に入射する。ここでレンズ２３１は、レンズ２３１を通過した参照光用光ビームの仮想発光点２３５が対物レンズ２１０のバックフォーカス面上に一致するようなレンズ作用をする凹レンズであることを特徴としている。よって凹レンズ２３１を通過した参照光用光ビームは、対物レンズ２１０によって平行光として光情報記録媒体１に照射する。
【００１８】
信号光用光ビームは同様にＰＢＳプリズム２０７にて反射し、空間光変調器２０８によって信号情報が付加される。空間光変調器２０８を反射した後は、ＰＢＳプリズム２０７を透過し、偏光方向変換素子２３４によって所望の偏光状態となった後に、対物レンズ２１０によって収束光として光情報記録媒体１に入射する。
一般にＰＢＳプリズムは透過率および反射率に入射角依存性を持つが、本実施例のように参照光用光ビームを平行光としてＰＢＳプリズムに入射する構成とすれば、ＰＢＳプリズムに入射する角度をほぼ４５度と一意に設定することができるため、入射角依存性に対する影響を受ける事がなくなる。
【００１９】
図３は図２に示す構成を用いたホログラム記録再生用のピックアップの光学系を示したものである。ホログラムを記録する場合は、図３（ａ）に示すように、光源２０１を出射した光ビームはコリメートレンズ２０２を透過し、シャッタ２０３に入射する。シャッタ２０３が開いている時は、光ビームはシャッタ２０３を通過した後、信号光用のシャッタ２４０に入射する。
シャッタ２４０によって入射した光ビームの一部は参照光用光ビームとなり、一部は信号光用光ビームとして領域分割され、参照光用光ビームならびに信号光用光ビームはＰＢＳプリズム２０７に平行光として入射する。
【００２０】
参照光用光ビームはＰＢＳプリズム２０７にて反射し、４分の１波長板２３２によって円偏光になった後に反射板２３３にて反射する。反射板２３３にて反射した光は４分の１波長板２３２によってＰ偏光となった後にＰＢＳプリズム２０７を透過してレンズ２３１に入射する。ここでレンズ２３１は、レンズ２３１を通過した参照光用光ビームの仮想発光点２３５が対物レンズ２１０のバックフォーカス面上に一致するようなレンズ作用をする凹レンズであることを特徴としている。よって凹レンズ２３１を通過した参照光用光ビームは、対物レンズ２１０によって平行光として光情報記録媒体１に入射する。
信号光用光ビームは同様にＰＢＳプリズム２０７にて反射し、空間光変調器２０８によって信号情報が付加される。空間光変調器２０８を反射した後は、ＰＢＳプリズム２０７を透過し、偏光方向変換素子２３４によって所望の偏光状態となった後に、対物レンズ２１０によって収束光として光情報記録媒体１に入射する。
【００２１】
ここで対物レンズ２１０は、例えば符号２２０に示す方向に駆動可能であり、対物レンズ２１０の位置を駆動方向２２０に沿ってずらすことにより、対物レンズ２１０と対物レンズ２１０のバックフォーカス面における参照光の仮想発光点２３５の相対位置関係が変化するため、光情報記録媒体１に入射する参照光ビームの入射角度を所望の角度に設定することができる。
このように信号光ビームと参照光ビームを光情報記録媒体１において、互いに重ね合うように入射させることで、光情報記録媒体１内には干渉縞パターンが形成され、このパターンを記録媒体に書き込むことで情報を記録する。また対物レンズ２１０の位置を駆動方向２２０に沿ってずらす事によって、光情報記録媒体１に入射する参照光ビームの入射角度を変化させることができるため、角度多重による記録が可能である。
【００２２】
記録した情報を再生する場合は、図３（ｂ）に示すように、シャッタ２４０によって参照光用光ビームのみを通過させ、ＰＢＳプリズム２０７に平行光として入射させる。記録時と同様に参照光ビームを光情報記録媒体１に入射し、光情報記録媒体１を透過した光ビームをガルバノミラー２１６にて反射させることで、その位相共役光を生成する。この位相共役光によって再生された再生光ビームは、対物レンズ２１０を通過し、偏光方向変換素子２３４によって所望の偏光状態となった後に、ＰＢＳプリズム２０７を反射する。ＰＢＳプリズムを反射した再生光ビームは光検出器２１８に入射し、記録した信号を再生することができる。
なおレンズ２３１は屈折型のレンズで構成してもよいし、または回折格子などを備えた回折型のレンズで構成してもよいし、または両者が組み合わさったもので構成してもよい。
【００２３】
またホログラム記録再生用のピックアップの光学系は図４に示すような構成であっても良い。
ホログラムを記録する場合は、図４（ａ）に示すように、光源２０１を出射した光ビームはコリメートレンズ２０２を透過し、シャッタ２０３に入射する。シャッタ２０３が開いている時は、光ビームはシャッタ２０３を通過した後、偏光方向変換素子２０４によって所望の偏光状態となり、ＰＢＳプリズム２５０を透過した光ビームが参照光用光ビームとなり、ＰＢＳプリズム２５０内を２回反射した光ビームが信号光用光ビームとなる。
ＰＢＳプリズム２５０を透過した参照光用光ビームは２分の１波長板２５１によってＰ偏光からＳ偏光となってＰＢＳプリズム２０７に平行光として入射する。またＰＢＳプリズム２５０を反射した信号光用光ビームも同様に、平行光としてＰＢＳプリズム２０７に入射する。なおＰＢＳプリズム２０７に入射後の伝播は、図３を用いた前述の説明のとおりのため省略する。
【００２４】
記録した情報を再生する場合は、図４（ｂ）に示すように、偏光方向変換素子２０４によって入射する光ビームの偏光状態をＰ偏光とし、入射した光ビームのほぼ全てがＰＢＳプリズム２５０を透過して参照光用光ビームとして利用出来る様にする。ＰＢＳプリズム２５０を通過した参照光用光ビームは２分の１波長板２５１によってＰ偏光からＳ偏光となってＰＢＳプリズム２０７に平行光として入射する。なおＰＢＳプリズム２０７に入射後の伝播は、図３を用いた前述の説明のとおりのため省略する。
図３に示す実施例では、光源２０１を出射した光ビームを領域分割して参照光用光ビームと信号光用光ビームを生成していた。一方、図４に示す構成では、偏光方向変換素子２０４とＰＢＳプリズム２５０を用いることで、同じ領域の光ビームから参照光用光ビームと信号光用光ビームを生成している。このような構成とすることで、例えば再生時は光源２０１を出射した光ビームを効率よく参照光用光ビームとして用いることが出来、光利用効率を向上することが出来る。
【００２５】
図５はホログラフィを利用してデジタル情報を記録および／または再生する光情報記録再生装置の全体的な構成を示したものである。
光情報記録再生装置１０は、図３または図４に示すピックアップ１１、位相共役光学系１２、ディスクキュア光学系１３、ディスク回転角度検出用光学系１４ならびに回転モータ５０を備えており、光情報記録媒体１は回転モータ５０によって回転可能な構成となっている。
ピックアップ１１は、参照光と信号光を光情報記録媒体１に出射してホログラフィを利用してデジタル情報を記録する役割を果たす。この際、記録する情報信号はコントローラ８９によって信号生成回路８６を介してピックアップ１１内の後述する空間光変調器に送り込まれ、信号光は該空間光変調器によって変調される。
【００２６】
光情報記録媒体１に記録した情報を再生する場合は、ピックアップ１１から出射された参照光の位相共役光を位相共役光学系１２によって生成する。ここで位相共役光とは、入力光と同一の波面を保ちながら逆方向に進む光波のことである。該位相共役光によって再生される再生光をピックアップ１１内の後述する光検出器によって検出し、信号処理回路８５によって信号を再生する。
光情報記録媒体１に照射する参照光と信号光の照射時間は、ピックアップ１１内の後述するシャッタの開閉時間をコントローラ８９によってシャッタ制御回路８７を介して制御することで調整できる。
ディスクキュア光学系１３は、光情報記録媒体１のプリキュアおよびポストキュアに用いる光ビームを生成する役割を果たす。ここでプリキュアとは、光情報記録媒体１内の所望の位置に情報を記録する際、該所望位置に参照光と信号光を照射する前に予め所定の光ビームを照射する前工程の事である。またポストキュアとは、光情報記録媒体１内の所望の位置に情報を記録した後、該所望の位置に追記不可能とするために所定の光ビームを照射する後工程の事である。
【００２７】
ディスク回転角度検出用光学系１４は、光情報記録媒体１の回転角度を検出するために用いられる。光情報記録媒体１を所定の回転角度に調整する場合は、ディスク回転角度検出用光学系１４によって回転角度に応じた信号を検出し、検出された信号を用いてコントローラ８９によってディスク回転モータ制御回路８８を介して光情報記録媒体１の回転角度を制御する事が出来る。
光源駆動回路８２からは所定の光源駆動電流がピックアップ１１、ディスクキュア光学系１３、ディスク回転角度検出用光学系１４内の光源に供給され、各々の光源からは所定の光量で光ビームを発光することができる。
また、ピックアップ１１、位相共役光学系１２、ディスクキュア光学系１３は、光情報記録媒体１の半径方向に位置をスライドできる機構が設けられており、アクセス制御回路８１を介して位置制御がおこなわれる。
【００２８】
ところでホログラフィを利用した記録技術は、超高密度な情報を記録可能な技術であるがゆえに、例えば光情報記録媒体１の傾きや位置ずれに対する許容誤差が極めて小さくなる傾向がある。それゆえピックアップ１１内に、例えば光情報記録媒体１の傾きや位置ずれ等、許容誤差が小さいずれ要因のずれ量を検出する機構を設けて、サーボ信号生成回路８３にてサーボ制御用の信号を生成し、サーボ制御回路８４を介して該ずれ量を補正するためのサーボ機構を光情報記録再生装置１０内に備えても良い。
またピックアップ１１、位相共役光学系１２、ディスクキュア光学系１３、ディスク回転角度検出用光学系１４は、いくつかの光学系構成または全ての光学系構成をひとつに纏めて簡素化しても構わない。
【００２９】
図６は、光情報記録再生装置１０における記録、再生の動作フローを示したものである。ここでは、特にホログラフィを利用した記録再生に関するフローを説明する。
図６（ａ）は、光情報記録再生装置１０に光情報記録媒体１を挿入した後、記録または再生の準備が完了するまでの動作フローを示し、図６（ｂ）は準備完了状態から光情報記録媒体１に情報を記録するまでの動作フロー、図６（ｃ）は準備完了状態から光情報記録媒体１に記録した情報を再生するまでの動作フローを示したものである。
【００３０】
図６（ａ）に示すように媒体を挿入すると、光情報記録再生装置１０は、例えば挿入された媒体がホログラフィを利用してデジタル情報を記録または再生する媒体であるかどうかディスク判別を行う。ディスク判別の結果、ホログラフィを利用してデジタル情報を記録または再生する光情報記録媒体であると判断されると、光情報記録再生装置１０は光情報記録媒体に設けられたコントロールデータを読み出し、例えば光情報記録媒体に関する情報や、例えば記録や再生時における各種設定条件に関する情報を取得する。コントロールデータの読み出し後は、コントロールデータに応じた各種調整やピックアップ１１に関わる学習処理を行い、光情報記録再生装置１０は、記録または再生の準備が完了する。
【００３１】
準備完了状態から情報を記録するまでの動作フローは図６（ｂ）に示すように、まず記録するデータを受信して、該データに応じた情報をピックアップ１１内の空間光変調器に送り込む。その後、光情報記録媒体に高品質の情報を記録できるように、必要に応じて各種学習処理を事前に行い、シーク動作ならびにアドレス再生を繰り返しながらピックアップ１１ならびにディスクキュア光学系１３の位置を光情報記録媒体の所定の位置に配置する。その後、ディスクキュア光学系１３から出射する光ビームを用いて所定の領域をプリキュアし、ピックアップ１１から出射する参照光と信号光を用いてデータを記録する。データを記録した後は、必要に応じてデータをベリファイし、ディスクキュア光学系１３から出射する光ビームを用いてポストキュアを行う。
【００３２】
準備完了状態から記録された情報を再生するまでの動作フローは図６（ｃ）に示すように、光情報記録媒体から高品質の情報を再生できるように、必要に応じて各種学習処理を事前に行う。その後、シーク動作ならびにアドレス再生を繰り返しながらピックアップ１１ならびに位相共役光学系１２の位置を光情報記録媒体の所定の位置に配置する。その後、ピックアップ１１から参照光を出射し、光情報記録媒体に記録された情報を読み出す。
【図面の簡単な説明】
【００３３】
【図１】モノキュラーシステムを表す概略図。
【図２】光ピックアップの対物レンズ周辺の光学系構成を示す概略図。
【図３】光ピックアップの実施例を示す概略図。
【図４】光ピックアップの実施例を示す概略図。
【図５】情報を記録および／または再生する光情報記録再生装置の全体的な構成を示した概略図。
【図６】光情報記録再生装置における記録、再生の動作フローを示した概略図。
【図７】光ピックアップの実施例を示す概略図。
【符号の説明】
【００３４】
１  光情報記録媒体
１０  光情報記録再生装置
１１  ピックアップ
１２  位相共役光学系
１３  ディスクキュア光学系
１４  ディスク回転角度検出用光学系
５０  回転モータ
８１  アクセス制御回路
８２  光源駆動回路
８４  サーボ制御回路
８５  信号処理回路
８６  信号生成回路
８７  シャッタ制御回路
８８  ディスク回転モータ制御回路
８９  コントローラ
２０１  光源
２０２  コリメートレンズ
２０３  シャッタ
２０４  偏光方向変換素子
２０５、２０７、２５０  ＰＢＳプリズム、
２０６  信号光ビーム
２０８  空間光変調器
２０９  アングルフィルタ
２１０  対物レンズ
２１２  参照光ビーム
２１３２１４  ミラー
２１５  レンズ
２１６  ガルバノミラー
２１９  偏光方向変換素子
２２１  光学ブロック
２３２  ４分の１波長板
２３１  レンズ
２３３  反射板
２３４  偏光方向変換素子
２３５  仮想発光点
２４０  シャッタ
２５１  ２分の１波長板
【図１】
2008226433.tif 000003
【図２】
2008226433.tif 000004
【図３】
2008226433.tif 000005
【図４】
2008226433.tif 000006
【図５】
2008226433.tif 000007
【図６】
2008226433.tif 000008
【図７】
2008226433.tif 000009